(57)【要約】【課題】多様な機能運用をペン入力基盤で支援できるペン機能運用方法及びこれを支援する電子装置を提供する。【解決手段】本発明は、設定モードによってタッチ用ペンを認識するペン認識パネルと、前記ペン認識パネルと前記タッチ用ペンとの配置位置に関する情報及びタッチ用ペンに設けられたボタンの押圧状態情報のうち少なくとも１つを含むペン状態情報、現在活性化されている機能の種類情報、前記タッチ用ペンのジェスチャー入力動作によるジェスチャー認識情報を収集するか、または前記ペン状態情報及び前記ジェスチャー認識情報を収集する制御部と、前記設定モードによって収集された情報に該当するペン機能命令語を提供するペン機能テーブルを含む格納部と、前記ペン機能命令語に該当する機能実行による情報を出力する表示パネルとを含むペン機能運用システムと方法の構成を開示する。【選択図】図１
2014044720.tif 000002
【特許請求の範囲】
【請求項１】
端末機が設定モードによってタッチ用ペンを認識するペン認識パネルと前記タッチ用ペンとの配置位置に関する情報及びタッチ用ペンに設けられたボタンの押圧状態情報のうち少なくとも１つを含むペン状態情報、現在活性化されている応用プログラムの種類情報、及び前記タッチ用ペンのジェスチャー入力動作によるジェスチャー認識情報を収集するか、または
前記ペン状態情報及び前記ジェスチャー認識情報を収集する収集過程と、
前記設定モードによってあらかじめ定義された特定ペン機能テーブルを参照して前記収集された情報に該当するペン機能命令語を確認する過程と、
前記ペン機能命令語に該当する機能を実行する機能実行過程とを含むことを特徴とするペン機能運用方法。
【請求項２】
前記ペン状態情報は、
前記タッチ用ペンが前記ペン認識パネルから第１距離以内にある接触状態情報、
前記タッチ用ペンが前記ペン認識パネルから第１距離以上ないし第２距離以内に離隔された状態に配置されるホバリング状態情報、
前記タッチ用ペンが前記ペン認識パネルから第２距離以上で認識可能範囲以内に配置されるエア状態情報、
前記ボタンが押圧されたボタン押圧状態情報、及び
前記ボタン押圧が解除された状態情報のうち少なくとも１つを含み、
前記機能実行過程は、
前記ホバリング状態で入力されるジェスチャー認識情報及び前記接触状態で入力されるジェスチャー認識情報に対して互いに異なる機能を実行する過程と、
前記機能の種類情報によって同一のペン状態情報及びジェスチャー認識情報に対して互いに異なるオプションメニュー窓を出力する過程と、を含むことを特徴とする請求項１に記載のペン機能運用方法。
【請求項３】
前記収集過程は、
前記タッチ用ペンのジェスチャー入力動作により入力され、特定機能活性化のためにあらかじめ定義されたキー命令語を収集する過程であり、
前記機能実行過程は、
前記キー命令語に該当する特定機能を活性化する過程であることを特徴とする請求項１に記載のペン機能運用方法。
【請求項４】
前記収集過程は、
前記タッチ用ペンのジェスチャー入力動作により入力され、前記キー命令語により活性化される機能に適用される機能支援情報を収集する過程をさらに含み、
前記機能実行過程は、
前記機能支援情報を前記活性化された機能に自動で適用する過程であることを特徴とする請求項３に記載のペン機能運用方法。
【請求項５】
前記収集過程は、
通知情報またはメッセージ受信後に一定時間以内にジェスチャー入力動作が発生すれば、前記ジェスチャー入力動作を認識し、ジェスチャー認識情報を収集する過程を含み、
前記機能実行過程は、
前記収集されたジェスチャー認識情報を前記通知情報またはメッセージ情報に対する応答メッセージとして自動伝送する過程を含むことを特徴とする請求項１に記載のペン機能運用方法。
【請求項６】
前記機能実行過程は、
前記受信及び送信された応答メッセージと関連したメッセージ履歴画面を出力する過程をさらに含むことを特徴とする請求項５に記載のペン機能運用方法。
【請求項７】
前記収集過程の前に、
表示パネルに電源供給を遮断するスリープ状態または特定機能実行による画面を出力する状態を支援する過程をさらに含み、
前記機能実行過程は、
前記自動伝送後に前記スリープ状態または以前画面が出力された状態に自動復帰する過程をさらに含むことを特徴とする請求項５に記載のペン機能運用方法。
【請求項８】
タッチ用ペンのジェスチャー入力動作により入力された特定機能活性化のためのキー命令語及び前記タッチ用ペンのジェスチャー入力動作に従い、前記キー命令語により活性化される機能に適用されるための機能支援情報を収集する収集過程と、
前記キー命令語に該当する機能を活性化し、前記機能支援情報を当該機能に適用する機能実行過程と、を含むことを特徴とするペン機能運用方法。
【請求項９】
前記収集過程のために前記タッチ用ペンのジェスチャー入力動作認識のための仮想ペンパッドを表示パネルに出力する過程をさらに含むことを特徴とする請求項８に記載のペン機能運用方法。
【請求項１０】
前記機能実行過程は、
前記キー命令語に該当するメッセージ、チャット、電子メール作成のうち少なくとも１つの機能を活性化し、前記機能支援情報を前記メッセージ、チャット、電子メールの受信者情報として自動適用する過程、
前記キー命令語に該当する検索機能を活性化し、前記機能支援情報を前記検索機能の検索語として自動適用して検索する過程、
前記キー命令語に該当するアラーム設定機能を活性化し、前記機能支援情報をアラーム設定時間として自動適用し、アラームを実行する過程、
前記キー命令語に該当するファイル再生機能を活性化し、前記機能支援情報に該当するファイルを呼び出し、当該ファイルを自動再生する過程、
前記キー命令語に該当するプランナー機能を活性化し、前記機能支援情報に該当する日付のスケジュール情報を出力するか、または前記機能支援情報に該当する日付のスケジュール入力を自動支援する過程、
前記キー命令語に該当するダイヤラー機能を活性化し、前記機能支援情報を前記ダイヤラー機能に適用し、特定端末機と自動通話連結を実行する過程、
前記キー命令語とともにジェスチャー入力動作で入力される機能支援情報に該当するイーブックコンテンツを自動で再生する過程、及び
前記キー命令語とともにジェスチャー入力動作で入力される数字と演算符号に該当する演算を実行し、結果を出力する過程のうち少なくとも１つの過程を含むことを特徴とする請求項８に記載のペン機能運用方法。
【請求項１１】
設定モードによってタッチ用ペンを認識するペン認識パネルと、
前記ペン認識パネルと前記タッチ用ペンとの配置位置に関する情報及びタッチ用ペンに設けられたボタンの押圧状態情報のうち少なくとも１つを含むペン状態情報、現在活性化されている応用プログラムの種類情報、前記タッチ用ペンのジェスチャー入力動作によるジェスチャー認識情報を収集するか、前記ペン状態情報及び前記ジェスチャー認識情報を収集する制御部と、
前記設定モードによって前記収集された情報に該当するペン機能命令語を提供するペン機能テーブルを含む格納部と、
前記ペン機能命令語に該当する機能実行による情報を出力する表示パネルと、を含むことを特徴とするペン機能運用電子装置。
【請求項１２】
前記ペン状態情報は、
前記タッチ用ペンが前記ペン認識パネルから第１距離以内にある接触状態情報、
前記タッチ用ペンが前記ペン認識パネルから第１距離以上ないし第２距離以内に離隔された状態に配置されるホバリング状態情報、
前記タッチ用ペンが前記ペン認識パネルから第２距離以上で認識可能範囲以内に配置されるエア状態情報、
前記ボタンが押されられたボタン押圧状態情報、及び
前記ボタン押圧が解除された状態情報のうち少なくとも１つを含み、
前記制御部は、
前記ホバリング状態及び前記接触状態によって認識されたジェスチャー認識情報に対して互いに異なる機能が実行されるように制御し、前記機能の種類情報によって同一のペン状態情報及びジェスチャー認識情報に対して互いに異なるオプションメニュー窓を出力するように制御することを特徴とする請求項１１に記載のペン機能運用電子装置。
【請求項１３】
前記制御部は、
前記タッチ用ペンのジェスチャー入力動作により入力され、特定機能活性化のためにあらかじめ定義されたキー命令語に該当するジェスチャー認識情報が収集されれば、前記キー命令語に該当する特定機能を活性化するように制御することを特徴とする請求項１１に記載のペン機能運用電子装置。
【請求項１４】
前記ペン認識パネルは、
前記タッチ用ペンのジェスチャー入力動作により入力され、前記キー命令語により活性化される機能に適用される機能支援情報を収集し、
前記制御部は、
前記機能支援情報を前記活性化された機能に自動で適用することを特徴とする請求項１３に記載のペン機能運用電子装置。
【請求項１５】
通知情報またはメッセージを受信する通信部をさらに含み、
前記ペン認識パネルは、
前記受信された通知情報またはメッセージ受信後に一定時間以内にジェスチャー入力動作に該当するジェスチャー認識情報を収集し、
前記制御部は、
前記収集されたジェスチャー認識情報を前記通知情報またはメッセージ情報に対する応答メッセージとして自動伝送するように制御することを特徴とする請求項１１に記載のペン機能運用電子装置。
【請求項１６】
前記表示パネルは、
前記受信及び送信された応答メッセージと関連したメッセージ履歴画面を出力することを特徴とする請求項１５に記載のペン機能運用電子装置。
【請求項１７】
前記表示パネルは、
スリープ状態による電源供給遮断画面または特定機能実行による画面を出力し、
前記制御部は、
前記自動伝送後に前記スリープ状態または以前画面が出力された状態に自動復帰するように制御することを特徴とする請求項１５に記載のペン機能運用電子装置。
【請求項１８】
タッチ用ペンのジェスチャー動作によって描かれる第１オブジェクト及び第２オブジェクトを収集するペン認識パネルと、
前記第１オブジェクトがマッピングされた応用プログラムを活性化し、前記活性化された応用プログラムに前記第２オブジェクトが適用される機能を実行するように制御する制御部と、を含むことを特徴とするペン機能運用電子装置。
【請求項１９】
前記制御部は、
メッセージ応用プログラムを指示する前記第１オブジェクト収集によってメッセージ応用プログラムを活性化し、一緒に入力された前記第２オブジェクトを前記メッセージ応用プログラムのメッセージ受信者情報として自動記入するように制御することを特徴とする請求項１８に記載のペン機能運用電子装置。
【請求項２０】
前記制御部は、
検索応用プログラムを指示する前記第１オブジェクト収集によって一緒に入力された前記第２オブジェクトを検索語として入力して自動検索するように制御することを特徴とする請求項１８に記載のペン機能運用電子装置。
【請求項２１】
前記制御部は、
通話応用プログラムを指示する前記第１オブジェクト収集によって通話応用プログラムを活性化し、一緒に入力された前記第２オブジェクトを受信者番号として適用して通話連結を実行することを特徴とする請求項１８に記載のペン機能運用電子装置。
【発明の詳細な説明】
【技術分野】
【０００１】
本発明は、ペン機能運用に係り、より詳しくはペン状態及び特定ジェスチャー入力のうち少なくとも１つによって多様なユーザ機能をさらに容易に且つ速やかに利用できるように支援するペン機能運用方法及びこれを支援する電子装置に関する。
【背景技術】
【０００２】
携帯端末機は、移動性を有し幅広く使用されている。特に、携帯端末機のうち移動しながらも音声通話が可能な移動通信端末機は、国民の大多数が使用しているほどにその人気が非常に高い携帯端末機である。一方、携帯端末機は、移動通信機能の支援だけでなく、多様なユーザ機能、例えばファイル再生機能、ファイル検索機能、ファイル編集機能などを支援する。ユーザは、携帯端末機を利用して前述した多様な機能を運用できる。
【０００３】
ところが、携帯端末機の場合、持ち運びの利便性のためにそのサイズが制限されており、結果的に情報を表示する表示領域のサイズは、一般テレビモニターなどに比べて相対的小さいという特徴がある。このような小さいサイズの表示部を基盤に多様なユーザ入力を行うことは容易ではないという短所があった。これに対応して、従来、ユーザの指などのタッチ以外にスタイラスペンのようなペンを利用した入力手段を提供している。ユーザは、ペン入力手段を利用してさらに細密なタッチなどを利用できる。しかし、端末機の使用にあたって、指で処理可能な機能が良好に支援されているので、特別な場合を除いてペン入力手段を利用する事例はまれである。また、従来、ペン入力手段は、単純に表示部に出力された特定領域をタッチする水準にとどまっていた。このため、ペン入力手段を基盤にした端末機の多様な機能運用の要求がある。
【発明の概要】
【発明が解決しようとする課題】
【０００４】
本発明は、前述したような従来技術の問題点を解決するためになされたものであって、その目的とするところは多様な機能運用をペン入力基盤で支援できるようにするペン機能運用方法及びこれを支援する電子装置を提供することにある。
【課題を解決するための手段】
【０００５】
前記目的を達成するための本発明は、タッチ用ペンのジェスチャー入力動作により入力された特定機能活性化のためのキー命令語及び前記タッチ用ペンのジェスチャー入力動作に従い、前記キー命令語により活性化される機能に適用される機能支援情報を収集するペン認識パネルと、前記キー命令語に該当する機能を活性化し、前記機能支援情報を当該機能に適用する制御部とを含むことを特徴とするペン機能運用を支援する電子装置の構成を開示する。
【０００６】
本発明は、また、設定モードによってタッチ用ペンを認識するペン認識パネルと、前記ペン認識パネルと前記タッチ用ペンとの配置位置に関する情報及びタッチ用ペンに設けられたボタンの押圧状態情報のうち少なくとも１つを含むペン状態情報、現在活性化されている機能の種類情報、前記タッチ用ペンのジェスチャー入力動作によるジェスチャー認識情報を収集するか、または前記ペン状態情報及び前記ジェスチャー認識情報を収集する制御部と、前記設定モードによって前記収集された情報に該当するペン機能命令語を提供するペン機能テーブルを含む格納部と、前記ペン機能命令語に該当する機能実行による情報を出力する表示パネルと、を含むことを特徴とするペン機能運用を支援する電子装置の構成を開示する。
【０００７】
本発明は、また、タッチ用ペンのジェスチャー入力動作により入力された特定機能活性化のためのキー命令語及び前記タッチ用ペンのジェスチャー入力動作に従い、前記キー命令語により活性化される機能に適用されるための機能支援情報を収集する収集過程と、前記キー命令語に該当する機能を活性化し、前記機能支援情報を当該機能に適用する機能実行過程とを含むことを特徴とするペン機能運用方法の構成を開示する。
【０００８】
本発明は、また、端末機が設定モードによってタッチ用ペンを認識するペン認識パネルと前記タッチ用ペンとの配置位置に関する情報及びタッチ用ペンに設けられたボタンの押圧状態情報のうち少なくとも１つを含むペン状態情報、現在活性化されている機能の種類情報、前記タッチ用ペンのジェスチャー入力動作によるジェスチャー認識情報を収集するか、前記ペン状態情報及び前記ジェスチャー認識情報を収集するか、または前記ジェスチャー認識情報のみを収集する収集過程と、前記設定モードによってあらかじめ定義された特定ペン機能テーブルを参照して前記収集された情報に該当するペン機能命令語を確認する過程と、前記ペン機能命令語に該当する機能を実行する機能実行過程とを含むことを特徴とするペン機能運用方法の構成を開示する。
【発明の効果】
【０００９】
以上説明したように、本発明によるペン機能運用方法及びこれを支援する電子装置システムによれば、本発明は、ペン入力手段を利用して端末機の多様な機能運用をさらに容易に且つ速やかに実行できるようにする。
【図面の簡単な説明】
【００１０】
【図１】本発明の実施例によるペン機能運用システムの構成を概略的に示す図である。
【図２】ペン機能運用システムの構成のうち端末機の表示部の構成をさらに詳しく示す図である。
【図３】ペンの配置位置によるペン認識パネルの動作を説明するための図である。
【図４】本発明のペン機能運用システムの構成のうち端末機の構成をさらに詳しく示す図である。
【図５】図４の端末機の構成のうち制御部の構成をさらに詳しく示す図である。
【図６】本発明のペン機能運用方法を説明するためのフローチャートである。
【図７】本発明の実施例によるペン機能運用を説明するための画面例示図である。
【図８】本発明の実施例によるペン機能運用を説明するための画面例示図である。
【図９】本発明の他の実施例によるペン機能運用を説明するための図である。
【図１０】本発明の他の実施例によるペン機能運用を説明するための図である。
【図１１】本発明の他の実施例によるペン機能運用を説明するための図である。
【図１２】本発明のさらに他の実施例によるペン機能運用を説明するための図である。
【図１３】本発明のさらに他の実施例によるペン機能運用を説明するための図である。
【図１４】本発明のさらに他の実施例によるペン機能運用を説明するための図である。
【図１５】本発明のさらに他の実施例によるペン機能運用のうちチャットサービス関連説明のための図である。
【発明を実施するための形態】
【００１１】
以下、本発明の実施例を添付の図面に基づいて詳しく説明する。
実施例を説明するにあたって、本発明の属する技術分野でよく知られており、本発明と直接的に関連がない技術内容については、説明を省略する。また、実質的に同一の構成と機能を有する構成要素については、詳細な説明を省略する。
同様の理由で添付の図面において一部の構成要素は、誇張されるか、省略されるか、または概略的に図示され、各構成要素のサイズは、実際サイズを反映するものではない。したがって、本発明は、添付の図面に描かれた相対的なサイズや間隔によって制限されない。
【００１２】
図１は、本発明の実施例によるペン機能運用システムの構成を概略的に示す図であり、図２は、システムの構成のうち端末機１００の表示部の構成をさらに詳しく示す図である。そして、図３は、本発明のシステム構成のうちタッチ用ペンの位置によるペン認識パネルの動作を説明するための図である。
【００１３】
図１ないし図３を参照すれば、本発明のペン機能運用システム１０は、端末機１００とタッチ用ペン２００を含む。
【００１４】
このような構成を有する本発明のペン機能運用システム１０は、タッチ用ペン２００を保持した状態で端末機１００の表示部１４０上に特定入力動作を実行するとき、タッチ用ペン２００のペン状態及びタッチ用ペン２００のジェスチャー認識を基盤に特定ペン機能命令語に該当するユーザ機能が実行されるように支援する。さらに、本発明のペン機能運用システム１０は、タッチ用ペン２００のペン状態及びタッチ用ペン２００のジェスチャー認識とともに現在実行されている応用プログラムの種類情報を基盤に特定ペン機能命令語に該当するユーザ機能が実行されるようにする。これにより、本発明のペン機能運用システム１０は、ユーザがタッチ用ペン２００を利用して端末機の多様な入力動作をさらに簡単で且つ速やかに実行するようできる。
【００１５】
前記端末機１００は、機能運用による画面を出力する表示パネル１４１と、タッチ用ペン２００運用のためのペン認識パネル１４３とを含む。また、端末機１００は、接触タッチイベントのためのタッチパネルをさらに含み、前記タッチパネルと表示パネル１４１及びペン認識パネル１４３を駆動するための駆動モジュールと、電源部及びその他端末機１００を構成する多様な要素を実装する収納部とをさらに含む。前述した端末機１００は、ペン認識パネル１４３で収集されるペンタッチイベントに該当するジェスチャーを認識してジェスチャー情報を収集し、また、タッチ用ペン２００から伝達されるペン状態情報を収集する。そして、端末機１００は、収集されたジェスチャー情報とペン状態情報を基盤にあらかじめ定義された特定ペン機能命令語に該当するユーザ機能運用を支援する。この際、端末機１００は、現在活性化されている少なくとも１つの応用プログラムの種類によってあらかじめ定義された他の命令語に該当するユーザ機能運用を支援することもできる。前記端末機１００の詳細構成及び機能運用については、後述する図面を参照してさらに詳しく説明する。
【００１６】
前記タッチ用ペン２００は、ペンホルダー２２０と、ペンホルダー２２０の端部に配置されたペン先２１０と、ペン先２１０に隣接する領域のペンホルダー２２０内部に配置されるコイル２３０と、該コイル２３０によって発生する電磁気誘導値を変更できるボタン２４０とを含んで構成される。このような構成を有する本発明のタッチ用ペン２００は、静電誘導方式を支援する構成として前記コイル２３０によってペン認識パネル１４３の一定地点に磁場を形成し、端末機１００が当該磁場位置を検出し、タッチ地点を認識するように支援する。
【００１７】
ここで、ペン先２１０は、表示パネル１４１または表示パネル１４１の上部にタッチパネルが配置された場合、表示部１４０に接触する構成であって、タッチ用ペン２００が表示部１４０上の特定地点を指示する。このようなペン先２１０は、ペンホルダー２２０の端部に配置され、コイル２３０がペン先２１０から一定距離をもって離隔した位置に配置されるので、タッチ用ペン２００を保持した状態で書き込みなどの入力作業をする場合、ペン先２１０接触地点とコイル２３０による磁場形成地点との間の距離が一定に保たれる。ユーザは、前述した一定の距離を保った保持によってペン先２１０を表示パネル１４１の一定地点を指示しながら書き込みまたは絵描き作業、アイテムの選択と配置などの入力動作を実行する。特に、ユーザは、ペン先２１０を表示パネル１４１に接触した状態で特定ジェスチャー入力を実行できる。
【００１８】
前述したタッチ用ペン２００は、端末機１００のペン認識パネル１４３に一定距離以内に接近するようになれば、コイル２３０による磁場をペン認識パネル１４３の一定地点に発生させる。このために、端末機１００は、ペン認識パネル１４３に形成される磁場スキャン作業をリアルタイムまたは一定周期で実行する。また、タッチ用ペン２００運用モード活性化時点に端末機１００のペン認識パネル１４３の活性化が実行される。特にタッチ用ペン２００がペン認識パネル１４３に接近する近接距離によってペン認識パネル１４３は、当該ペン状態を異なって認識する。すなわちペン認識パネル１４３は、図３の３０１状況のように、表示パネル１４１から、またはペン認識パネル１４３から第１距離以内に位置する場合、タッチ用ペン２００を接触状態として認識する。また、ペン認識パネル１４３は、図３の３０３状況のように、タッチ用ペン２００が第１距離以上第２距離以下の範囲に配置された場合、タッチ用ペン２００をホバリング（Ｈｏｖｅｒｉｎｇ）状態として認識する。さらに、タッチ用ペン２００がペン認識パネル１４３から第２距離以上で認識可能範囲内に位置する場合、エア（ａｉｒ）状態として認識する。このように端末機１００のペン認識パネル１４３は、タッチ用ペン２００との離隔距離によって多様なペン状態情報を提供する。
【００１９】
一方、タッチ用ペン２００に設けられたボタン２４０は、ユーザによって押されることができ、ボタン２４０が押されることによって、特定信号値がタッチ用ペン２００で発生し、ペン認識パネル１４３に伝達される。このために、ボタン２４０の隣接する領域には、特定キャパシタや追加コイルまたは静電誘導に変化を与える特定素子を配置し、ボタン２４０のタッチまたは押圧によって当該素子が前記コイル２３０に接続することによって、ペン認識パネル１４３で誘導される電磁気誘導値を変化させて、タッチ用ペン２００のボタン２４０の押圧を認識するように設計する。または、ボタン２４０の押圧に該当する無線信号を発生させ、発生した無線信号を端末機１００の別途領域に設けられた受信機に伝達するように設計することができ、端末機１００は、受信された無線信号によってタッチ用ペン２００のボタン２４０の押圧を認識する。
【００２０】
前述したように、前記端末機１００は、前述したタッチ用ペン２００の配置状態によって多様なペン状態情報を収集する。すなわち端末機１００は、前記タッチ用ペン２００が接触状態であるかまたはホバリング状態であるかに関する情報、タッチ用ペン２００のボタン２４０が押されたかまたは初期状態を維持するかに関する情報などを受信する。端末機１００は、タッチ用ペン２００が提供するペン状態情報とタッチ用ペン２００のコイル２３０によって入力されるジェスチャー入力動作に該当するジェスチャー認識情報を基に特定ペン機能命令語を生成し、当該命令語に該当する機能実行を支援する。
【００２１】
以上で説明したように、本発明のペン機能運用システム１０は、端末機１００とタッチ用ペン２００との配置状態及びタッチ用ペン２００の特定入力状態などを含むペン状態情報及びジェスチャー入力動作による多様なジェスチャー認識情報を基に端末機１００が提供する多様な機能制御のための命令語をさらに容易に且つ速やかに生成及び運用する。そして、後述するが、本発明のペン機能運用システム１０は、複合ジェスチャー認識情報に基づいて特定ペン状態で端末機１００の特定機能運用をさらに速やかに実行する。または、本発明のペン機能運用システム１０は、一定のペン状態とは独立的に、複合ジェスチャー認識を実行し、それによる機能実行を支援する。
【００２２】
図４は、本発明の実施例によるペン機能運用を支援するための端末機１００の構成をさらに詳しく示す図である。
図４を参照すれば、本発明の端末機１００は、通信部１１０、入力部１２０、オーディオ処理部１３０、表示パネル１４１、ペン認識パネル１４３、タッチパネル１４５、格納部１５０及び制御部１６０の構成を含む。ここで、本発明の端末機１００は、タッチパネル１４５を含む形態で図示したが、本発明がこれに限定されるものではない。すなわち本発明の端末機１００は、図１ないし図３で前述したように、タッチパネル１４５が除去された形態で提供されることもできる。この場合、端末機１００は、タッチ用ペン２００とペン認識パネル１４３のみを利用して端末機１００運用のための入力信号生成を実行するか、または前記入力部１２０や通信部１１０などを基に入力信号を受信する。
【００２３】
前述した構成を有する本発明の端末機１００は、ペン認識パネル１４３を基にタッチ用ペン２００のペン状態情報及びジェスチャー入力動作に該当するジェスチャー認識情報を収集する。そして、端末機１００は、収集されたペン状態情報及びジェスチャー認識情報にマッチングされ、あらかじめ定義された特定ペン機能命令語を確認し、当該ペン機能命令語による端末機機能支援を実行する。また、端末機１００は、ペン状態情報及びジェスチャー認識情報だけでなく、現在活性化されている応用プログラムの機能種類に関する情報を収集し、前記ペン状態情報、ジェスチャー認識情報及び機能種類情報にマッピングされ、あらかじめ定義されたペン機能命令語を生成することもできる。または、端末機１００は、ジェスチャー認識情報が複合ジェスチャー認識情報である場合、複合ジェスチャー認識情報による特定端末機の機能を実行するように支援する。
【００２４】
このために、ペン認識パネル１４３は、端末機１００の一定位置に配置され、特定イベント発生によって、またはデフォルトで活性化状態を有する。ペン認識パネル１４３は、表示パネル１４１の下部に一定面積、例えば表示パネル１４１の表示領域をカバーする面積を持って設けられる。そして、ペン認識パネル１４３は、タッチ用ペン２００の接近により、タッチ用ペン２００の操作によるペン状態情報を受信し、これを制御部１６０に伝達する。また、ペン認識パネル１４３は、タッチ用ペン２００のジェスチャー動作によるジェスチャー認識情報を受信し、これを制御部１６０に伝達する。
【００２５】
このようなペン認識パネル１４３は、前述したように、コイル２３０を有するタッチ用ペン２００との電磁気誘導方式によってタッチ用ペン２００の位置情報を受信できるように設けられた構成である。ペン認識パネル１４３は、タッチ用ペン２００の接近間隔によってそれぞれ当該間隔に該当する電磁気誘導値を収集し、これを制御部１６０に伝達する。この際、伝達される電磁気誘導値は、ペン状態情報、すなわちタッチ用ペン２００がペン認識パネル１４３からまたは表示パネル１４１やタッチパネル１４５から一定間隔をもって離隔された状態であるホバリング状態であるか、または表示パネル１４１やタッチパネル１４５に一定間隔で隣接する接触状態であるかに該当する情報である。
【００２６】
一方、タッチ用ペン２００に設けられたボタン２４０の設計形態によって端末機１００が収集するペン状態情報は、異なって具現される。すなわちボタン２４０が前述したように、コイル２３０によって形成される電磁気誘導値を変更する構造として設けられる場合、ボタン２４０入力に関するペン状態情報は、ペン認識パネル１４３が受信し、制御部１６０に伝達する。例えば、電磁気誘導値を変更する構造としてボタン２４０に選択的に接続されるキャパシタ、別途のコイルなどからなり、設計者の意図によってペン認識パネル１４３上での多様な形態の電磁気誘導値を変更できる特定素子が適用される。一方、ボタン２４０が別途の無線信号伝送構造として設けられる場合、端末機１００は、ボタン２４０の入力による無線信号を受信できる受信装置をさらに含み、制御部１６０は、当該受信装置が受信する無線信号を基準としてボタン２４０の押圧状態を判断する。
【００２７】
前記タッチパネル１４５は、表示パネル１４１の上部または下部に配置され、タッチ物体のタッチによる静電容量の変化または抵抗や電圧の変化によるタッチ位置及びタッチ状態に関する情報を制御部１６０に伝達する。タッチパネル１４５は、表示パネル１４１の少なくとも一部領域に設けられ、設計方式によってペン認識パネル１４３が活性化される時点で不活性化される。すなわち本発明のタッチパネル１４５は、ペン状態情報及びジェスチャー認識情報またはペン状態情報とジェスチャー認識情報及び機能種類情報、または複合ジェスチャー認識情報などペン認識パネル１４３を基に命令語生成機能を支援する間不活性化状態を有する。
【００２８】
表示パネル１４１は、端末機１００の運用に関連した多様な画面を出力する。例えば、表示パネル１４１は、端末機１００の機能運用のための初期待機画面やメニュー画面、機能選択によるファイル検索画面、ファイル再生画面、放送受信画面、ファイル編集画面、ウェブページ接続画面、メモ作成画面、電子本閲覧画面、チャット画面、電子メールやメッセージ作成及び受信画面など多様な画面を当該機能活性化によって提供する。前述した表示パネル１４１が提供する画面は、それぞれ特定機能種類に関する情報を有し、この機能種類情報は、制御部１６０に伝達される。前記表示パネル１４１の各機能が活性化される場合、事前設定によってペン認識パネル１４３が活性化される。一方、ペン認識パネル１４３を通じて入力されるジェスチャー認識情報は、それに対応する形態で表示パネル１４１に出力される。例えば、ジェスチャー認識情報が特定模様に対応するジェスチャーである場合、表示パネル１４１には、当該模様に対応するイメージが出力される。ユーザは、この表示を確認しながら自分がどんなジェスチャーを入力したかを確認できる。
【００２９】
特に本発明のジェスチャー入力は、入力開始時点と入力完了時点をタッチ用ペン２００のペン状態情報変化を基準として確認する。すなわちジェスチャー入力は、タッチ用ペン２００が接触状態またはホバリング状態のうち少なくとも１つの状態で開始でき、入力完了時点は、接触状態またはホバリング状態のうちいずれか１つが解除される時点になる。これにより、ユーザは、タッチ用ペン２００を利用して表示パネル１４１上にまたは表示パネル１４１から一定間隔をもって離隔された状態でジェスチャー入力動作を実行する。例えば、端末機１００は、タッチ用ペン２００が接触状態の範囲で動く場合、ジェスチャー入力として認識し、動きによるジェスチャー認識を実行する。
【００３０】
そして、端末機１００は、タッチ用ペン２００がホバリングとして認識される範囲内にある場合、動きによるジェスチャー入力は、認識しないが、継続的にジェスチャー入力のための有効動作として認識する。これにより、ユーザは、実際にジェスチャー入力のための動作を実行するためにタッチ用ペン２００で表示パネル１４１を接触して動きを実行し、表示パネル１４１からタッチ用ペン２００を離隔し、さらに接触して動く方式で複合的なジェスチャー入力を実行できる。
【００３１】
格納部１５０は、本発明の端末機１００の運用に必要な多様なプログラムとデータを格納する。例えば、格納部１５０は、端末機１００の運用に必要な運用体制などを格納し、その他、前述した表示パネル１４１上に出力される画面のための機能プログラムを格納する。特に格納部１５０は、本発明のペン機能運用のためのペン機能運用プログラム１５１を格納し、ペン機能運用プログラム１５１のためのペン機能テーブル１５３を格納する。
【００３２】
ペン機能運用プログラム１５１は、本発明のペン機能運用を支援するための多様なルーチンを含む。例えば、ペン機能運用プログラム１５１は、ペン認識パネル１４３の活性化条件を確認するルーチン、ペン認識パネル１４３の活性化時にタッチ用ペン２００のペン状態情報を収集するルーチン、タッチ用ペン２００の動きによるジェスチャーを認識し、ジェスチャー認識情報を収集するルーチンを含む。そして、ペン機能運用プログラム１５１は、収集されたペン状態情報とジェスチャー認識情報を基に特定ペン機能命令語を生成するルーチン、当該ペン機能命令語による機能を実行するルーチンを含む。また、ペン機能運用プログラム１５１は、現在活性化状態である機能の種類情報を収集するルーチンをさらに含み、収集された機能の種類情報とペン状態情報及びジェスチャー認識情報でマッピングされるペン機能命令語を生成するルーチン、当該ペン機能命令語による機能を実行するルーチンをさらに含む。また、ペン機能運用プログラム１５１は、入力されるジェスチャー入力動作が複合ジェスチャー認識情報のための入力動作である場合、入力動作をそれぞれ区分し、それぞれのサブジェスチャー認識情報として区分して認識するルーチン、区分されたサブジェスチャー認識情報を基に特定ペン機能命令語を生成するルーチン、生成されたペン機能命令語による機能を実行するルーチンを含む。
【００３３】
前述した説明において、ペン機能命令語を生成するルーチンは、格納部１５０に格納されたペン機能テーブル１５３を参照して命令語を生成する。ペン機能テーブル１５３は、設計者によって、またはプログラム開発者によってタッチ用ペン２００による入力動作に該当する特定端末機機能運用がマッピングされたペン機能命令語を含むテーブルになる。特に、ペン機能テーブル１５３は、ペン状態情報及び機能の種類情報によって入力されるジェスチャー認識情報をそれぞれのペン機能命令語にマッピングすることによって、同一のジェスチャー認識情報であるとしても、ペン状態情報及び機能の種類によって異なって動作するように設定される。また、ペン機能テーブル１５３は、ペン状態情報及びジェスチャー認識情報に特定端末機の機能運用に該当するペン機能命令語が定義された情報を含む。ペン状態情報とジェスチャー認識情報だけで構成されたペン機能テーブル１５３は、現在活性化された機能の種類に関係なく、ペン状態情報とジェスチャー認識情報のみに基づいて特定機能運用を実行するように支援する。一方、ペン機能テーブル１５３は、複合ジェスチャー認識情報と、マッピングされたペン機能命令語とを含むことができる。複合ジェスチャー認識情報で構成されたペン機能テーブル１５３は、ペン状態情報や現在提供されている機能の種類に関係なく、入力される複合ジェスチャー認識情報のみを基に特定端末機機能支援を実行するように支援する。
【００３４】
以上説明したように、ペン機能テーブル１５３は、ペン状態情報と機能の種類情報及びジェスチャー認識情報がマッピングされたペン機能命令語を含む第１ペン機能テーブル、ペン状態情報とジェスチャー認識情報がマッピングされたペン機能命令語を含む第２ペン機能テーブル、複合ジェスチャー認識情報がマッピングされたペン機能命令語を含む第３ペン機能テーブルのうち少なくとも１つを含む。それぞれのペン機能命令語を含むペン機能テーブル１５３は、ユーザ設定や実行されている応用プログラムの種類によって選択的にまたは自動で適用される。例えば、ユーザは、第１ペン機能テーブルを利用すべきか、または第２ペン機能テーブルを利用すべきかを設定できる。それにより、端末機１００は、設定によって特定ペン機能テーブルを基に入力動作に該当するジェスチャー認識処理をする。
【００３５】
また、端末機１００は、設計方式によって、またはユーザ設定によって第１応用プログラムが活性化された場合には、第２ペン機能テーブルを適用するようにし、第２応用プログラムが活性化された場合には、第３ペン機能テーブルを適用するようにし、第３応用プログラムが活性化された場合には、第１ペン機能テーブルを適用するようにできる。このように本発明のペン機能テーブル１５３は、活性化されている機能の種類によって多様に適用される。前記ペン機能テーブル１５３の適用に関する例示については、後述する図面を参照してさらに詳しく説明する。
【００３６】
一方、前記通信部１１０は、前記端末機１００が通信機能を支援する場合に含まれる。特に前記端末機１００が移動通信機能を支援する場合、通信部１１０は、移動通信モジュールで構成される。通信部１１０は、通信機能が要求される端末機機能、例えばチャット機能、メッセージ送受信機能、通話機能などを実行し、通信部１１０が運用される過程でタッチ用ペン２００からジェスチャー認識情報が収集されれば、制御部１６０の制御によってジェスチャー認識情報に該当するペン機能命令語実行を支援する。
【００３７】
このような通信部１１０は、端末機１００の通信機能を支援しながら本発明のペン機能テーブル１５３の更新情報を外部から受信し、これを制御部１６０に伝達する。前述したペン機能テーブル１５３は、実行される応用プログラムによる端末機機能種類によって異なって設定されることを説明した。結果的に、端末機１００が新しい機能を設置する場合、タッチ用ペン２００の運用と関連した新しい設定が要求される。通信部１１０は、新しい機能のための、または以前に設置された機能のためのペン機能テーブル１５３が提供される場合、デフォルトで、またはユーザ要請によって当該ペン機能テーブル１５３に関する情報を受信する。
【００３８】
前記入力部１２０は、サイドキーや別途に設けられたタッチパッドなどで構成される。また、入力部１２０は、端末機１００のターン−オンまたはターン−オフ実行のためのボタンキー、端末機１００が支援する基本画面への戻りを支援するホームキーなどを含む。また、入力部１２０は、本発明のペン機能運用モード設定のための入力信号をユーザ制御によって生成し、これを制御部１６０に伝達する。すなわち入力部１２０は、別途にジェスチャー認識機能を実行することなく、ペンの位置認識と当該ペン位置によって機能を実行する基本ペン機能運用モード及び前述した多様なペン機能テーブル１５３のうちいずれか１つを基盤とするペン機能運用モードのうちいずれか１つを設定するための入力信号を生成する。当該入力信号によって端末機１００は、特定ペン機能テーブル１５３を呼び出し、これを基にペン機能運用を支援する。
【００３９】
前記オーディオ処理部１３０は、端末機１００のオーディオ信号出力のためのスピーカーＳＰＫ及びオーディオ信号収集のためのマイクＭＩＣのうち少なくとも１つを含む。このようなオーディオ処理部１３０は、本発明のペン機能運用モード設定を案内する案内音や効果音を設定によって出力する。そして、オーディオ処理部１３０は、ペン認識パネル１４３で特定ジェスチャー動作によるジェスチャー認識情報が収集されれば、ジェスチャー認識情報に該当する案内音や機能実行による効果音を出力する。オーディオ処理部１３０は、ジェスチャー入力動作時にリアルタイムで入力されるジェスチャーに対する効果音を出力する。さらに、オーディオ処理部１３０は、振動モジュールを制御し、ジェスチャー入力動作に対応する振動モジュールの振動サイズ調節を制御する。この際、オーディオ処理部１３０は、入力されるジェスチャー入力動作により振動サイズを異ならしめることができる。すなわちオーディオ処理部１３０は、実行すべきジェスチャー認識情報が異なる場合、それぞれのジェスチャー認識情報に該当する振動サイズを有するように制御する。オーディオ処理部１３０は、効果音出力過程でもジェスチャー認識情報の種類によって効果音のサイズや種類を異なって実行する。例えば、オーディオ処理部１３０は、現在実行されている機能と関連したジェスチャー認識情報が収集されれば、一定のサイズを有する振動や効果音を出力し、他の機能呼び出しのためのジェスチャー認識情報が収集されれば、相対的に大きいサイズの振動や効果音を出力する。
【００４０】
前記制御部１６０は、本発明の実施例によるペン機能運用を支援するための多様な構成を含み、この構成を基にペン機能運用のための信号処理とデータ処理及び機能運用を制御する。このために、制御部１６０は、図５に示されたような構成を含む。
【００４１】
図５は、本発明の制御部１６０の構成をさらに詳しく示す図である。
図５を参照すれば、本発明の制御部１６０は、機能種類確認部１６１、ペン状態確認部１６３、ジェスチャー認識部１６５、命令語生成部１６７及び機能実行部１６９の構成を含む。
【００４２】
機能種類確認部１６１は、端末機１００で現在活性化されているユーザ機能の種類を確認する。特に機能種類確認部１６１は、現在表示パネル１４１上に出力されている画面と関連した機能の種類情報を収集する。すなわちマルチタスキング機能支援端末機１００の場合、多数個の応用プログラムの活性化によって複数個の機能が活性化される。この場合、機能種類確認部１６１は、現在表示パネル１４１上に出力された画面と関連した機能の種類情報のみを収集し、これを命令語生成部１６７に提供する。この過程で機能種類確認部１６１は、表示パネル１４１上に出力された画面が複数個である場合、最上位レイヤーに出力された画面と関連した機能の種類情報を収集する。
【００４３】
ペン状態確認部１６３は、タッチ用ペン２００の位置とボタン２４０の押圧などに該当する情報を収集する。前述したように、ペン状態確認部１６３は、ペン認識パネル１４３をスキャンして入力される電磁気誘導値の変化を検出し、これを基にタッチ用ペン２００がホバリング状態であるか、接触状態であるか、ボタン押圧状態であるか、押圧解除状態であるかなどを確認し、それに対応するペン状態情報収集を実行する。収集されたペン状態情報は、命令語生成部１６７に提供される。
【００４４】
ジェスチャー認識部１６５は、タッチ用ペン２００の動きによるジェスチャーを認識する。このようなジェスチャー認識部１６５は、タッチ用ペン２００がホバリング状態にあるか、または接触状態にあるかを問わず、タッチ用ペン２００の動きによるジェスチャー動作に対する認識を実行し、それによるジェスチャー認識情報を命令語生成部１６７に伝達する。一方、ジェスチャー認識部１６５が提供するジェスチャー認識情報は、１つのオブジェクトとして認識される単一ジェスチャー認識情報と、複数個のオブジェクトとして認識される複合ジェスチャー認識情報を含む。複合ジェスチャー認識情報は、ジェスチャー入力動作過程で区分される。
【００４５】
例えば、接触状態維持またはホバリング状態維持状態で持続的に発生する動きに該当する入力動作は、単一ジェスチャー認識情報を生成する。また、接続状態及びホバリング状態が変更されながら発生する動きに該当する入力動作は、複合ジェスチャー認識情報を生成する。または、ホバリング状態がエア状態に変更されながら動きが発生する場合、ジェスチャー認識部１６５は、複合ジェスチャー認識情報として認識する。または、ジェスチャー認識部１６５は、タッチ用ペン２００がペン認識パネル１４３から認識可能な範囲から逸脱する境界を基準にして複数個のジェスチャー動作が発生する場合を複合ジェスチャー認識のための動作として判断する。タッチ用ペン２００がペン認識パネル１４３から脱した境界基準のジェスチャー認識である場合、ジェスチャー認識部１６５は、別途ジェスチャー入力のためのボタンマップを出力することによって、ユーザがジェスチャー入力完了を指定できるように支援する。
【００４６】
命令語生成部１６７は、設定モードによって機能種類確認部１６１から伝達される機能種類情報、ペン状態確認部１６３から伝達されるペン状態情報、ジェスチャー認識部１６５から伝達されるジェスチャー認識情報のうち少なくとも１つを利用してペン機能命令語を生成する。この過程で、命令語生成部１６７は、多様なペン機能命令語を定義したペン機能テーブル１５３を参照する。特に命令語生成部１６７は、設定によって、または現在活性化されている機能種類によって前述したように、機能種類情報とペン状態情報及びジェスチャー認識情報に該当する第１ペン機能テーブルを参照するか、またはペン状態情報及びジェスチャー認識情報基盤の第２ペン機能テーブルを参照するか、またはジェスチャー認識情報基盤の第３ペン機能テーブルを参照する。命令語生成部１６７が生成したペン機能命令語は、機能実行部１６９に伝達される。
【００４７】
機能実行部１６９は、命令語生成部１６７が生成して伝達したペン機能命令語に該当する機能運用を制御する。このような機能実行部１６９は、現在活性化されている機能と関連した特定機能運用を行うか、または新しい機能を呼び出すか、または特定機能などを終了するように支援する。機能実行部１６９の機能運用と関連した説明は、後述する図面を参照してさらに詳しく説明する。
【００４８】
図６は、本発明の実施例によるペン機能運用方法を説明するためのフローチャートである。
図６を参照すれば、本発明のペン機能運用方法は、まず、６０１段階のように、電源部から電源が供給されれば、制御部１６０が供給された電源を利用して端末機１００を利用可能な状態に維持するように制御する。そして、制御部１６０は、既定のスケジュール情報によって、または入力部１２０や入力機能のタッチパネル１４５から入力される入力信号によって、６０３段階のように特定機能を実行するように支援する。例えば、制御部１６０は、待機画面を表示パネル１４１に出力するか、またはメニュー画面を表示パネル１４１に出力する。または、制御部１６０は、特定の音楽ファイルを再生するように支援するか、またはウェブページ接続によるウェブページ画面出力を支援する。
【００４９】
次に、制御部１６０は、特定入力信号が発生すれば、６０５段階で、当該入力信号がペン入力イベントのためのものであるか確認する。すなわち制御部１６０は、ペン機能運用のための要請が発生するかを確認する。ペン機能運用のための要請発生は、ペン機能基盤に運用される機能を呼び出す入力信号が発生するか、またはペン機能運用のためのモード設定入力信号が発生した場合などに該当する。
【００５０】
６０５段階で、特定入力信号がペン入力イベントではない場合、制御部１６０は、６０７段階に分岐し、入力信号による特定機能実行を支援する。例えば、制御部１６０は、入力信号によって再生中のファイルを変更するか、またはファイル再生を中止するか、またはオーディオ信号のボリューム調節などの機能を実行する。６０５段階で、ペン入力イベントに該当する入力信号が発生すれば、制御部１６０は、６０９段階に分岐し、ペン状態情報、機能種類情報及びジェスチャー情報のうち少なくとも１つを収集し、収集された情報によるペン機能命令語を生成するように支援する。そして、制御部１６０は、６１１段階に進み、命令語による機能実行を支援する。前記ペン機能命令語実行による例示は、後述する図面を参照してさらに詳しく説明する。
【００５１】
一方、制御部１６０は、６１３段階で、ペン機能終了のための入力信号発生があるか否かを確認する。そして、制御部１６０は、ペン機能終了のための入力信号発生がない場合、６０５段階以前に分岐し、以下の過程を実行する。
【００５２】
以上説明したように、本発明の実施例によるペン機能運用方法は、端末機１００のペン機能運用にあたって、ペン状態情報、機能種類情報及びジェスチャー認識情報のうち少なくとも１つを基にさらに多様な端末機１００の機能運用をさらに速やかに且つ便利に行えるようにする。
【００５３】
図７及び図８は、本発明の実施例によるホバリングペン状態のペン機能運用を説明するための図である。
まず、図７を参照すれば、端末機１００は、ユーザ要請によって特定ユーザ機能を活性化する。例えば、端末機１００は、ユーザ制御によってウェブページ接続を実行し、それに対応して７０１画面のように当該ウェブページ接続画面を表示パネル１４１に出力する。このために、端末機１００は、通信部１１０を活性化し、指定されたウェブページのアドレス情報を基盤にウェブページ接続を実行した後、当該ウェブページを提供するサーバーからウェブページ画面と関連した情報を受信して出力する。
【００５４】
一方、端末機１００は、ウェブページ接続機能がペン機能運用によって制御されるように設計された機能である場合またはペン機能運用のための入力信号が発生した場合、ウェブページ画面を表示パネル１４１に出力しながらペン認識パネル１４３を活性化するように制御する。この過程で、端末機１００は、設計方式によってタッチパネル１４５をも活性化するように制御する。ペン機能運用のためのペン認識パネル１４３が活性化されれば、ペン認識パネル１４３に電源が供給され、スキャンを通じて電磁気誘導によるタッチ用ペン２００の入力動作が発生するか確認する。
【００５５】
この際、ユーザは、タッチ用ペン２００を利用して端末機１００の表示パネル１４１から一定間隔をもって離隔されたホバリング範囲内で特定ジェスチャー、例えば逆“ｖ”字形に該当するジェスチャー動作を実行する。ホバリング範囲内で上端方向の折れ模様に該当するジェスチャー入力動作が発生すれば、ペン認識パネル１４３は、当該ジェスチャー入力動作に該当するジェスチャー認識を実行し、ジェスチャー認識情報を収集する。これと共に、端末機１００は、タッチ用ペン２００がペン認識パネル１４３のホバリング範囲内にあることに該当するペン状態情報を収集する。
【００５６】
７０１画面のように、ウェブページ画面が表示パネル１４１に出力されており、ホバリング状態で示した、ジェスチャー認識情報が収集されれば、端末機１００は、当該状態に対するペン機能命令語をペン機能テーブル１５３を参照して確認する。そして、端末機１００は、ペン機能テーブル１５３に定義したペン機能命令語により特定機能、例えば現在表示されるウェブページ画面の最上端に移動し、移動した画面を表示パネル１４１に出力するように支援する。
【００５７】
７０３画面のように、ウェブページ画面が表示パネル１４１に表示され、ホバリング状態で示した、“ｖ”字形に該当するジェスチャー認識情報が収集されれば、端末機１００は、ペン機能テーブル１５３を参照して当該ペン機能命令語を確認する。そして、端末機１００は、当該ペン機能命令語により図示したように、ウェブページ画面の最下端画面を表示パネル１４１に出力する。
【００５８】
一方、図８を参照すれば、端末機１００は、イーブックコンテンツ再生機能の活性化によってイーブックコンテンツ再生画面を表示パネル１４１に出力する。このために、端末機１００は、イーブックコンテンツを格納部１５０に格納し、イーブックコンテンツ再生のためのメニューを提供するか、イーブックコンテンツを提供する特定サーバーとの接続チャンネルを形成し、当該サーバーが提供するイーブックコンテンツによる情報受信及び出力を支援する。
【００５９】
一方、イーブックコンテンツ再生機能がペン機能運用を支援するように設定された機能である場合またはペン機能運用のための入力信号が発生した場合、端末機１００は、ペン認識パネル１４３を活性化するように制御する。ユーザは、イーブックコンテンツ再生画面が表示パネル１４１に出力された状態及び表示パネル１４１に接触しないホバリング状態で示した、タッチ用ペン２００を利用して右から左に線を引くジェスチャー入力動作を実行する。端末機１００は、当該タッチ用ペン２００によるジェスチャー認識情報と、イーブックコンテンツ再生機能及びホバリング状態に対応するペン機能命令語をペン機能テーブル１５３から確認する。そして、端末機１００は、ペン機能命令語により、例えばページめくりを実行する。
【００６０】
この過程で、端末機１００は、図示したように、線引きに該当するイメージを表示パネル１４１に出力することによって、ユーザのジェスチャー入力動作がどんな形態で現われるかを確認するように支援する。また、端末機１００は、タッチ用ペン２００のミラーイメージ２０１を表示パネル１４１に出力することによって、現在タッチ用ペン２００の状態がホバリング状態であることをユーザが認識するようにする。このようなタッチ用ペン２００のミラーイメージ２０１は、前述した図７でも同様に適用されたものである。
【００６１】
一方、ユーザがタッチ用ペン２００を利用して表示パネル１４１に接触した状態で線引きジェスチャー動作を実行したら、端末機１００は、イーブックコンテンツ再生による機能種類情報、線引きジェスチャー認識情報及び表示パネル１４１接触に対応する接触状態に該当するペン機能命令語をペン機能テーブル１５３で確認する。そして、端末機１００は、例えばペン機能命令語によりイーブックコンテンツの再生画面上で入力されたジェスチャー動作による線引き表示を実行する。ここで、タッチ用ペン２００が接触状態の場合、端末機１００は、ミラーイメージを除去することによって、タッチ用ペン２００がペン認識パネル１４３に対して接触状態であることを認識できるようにする。
【００６２】
図９ないし図１１は、本発明の他の実施例によるペン機能運用を説明するための図である。
まず、図９を参照すれば、端末機１００は、既定のスケジュール情報によって、またはユーザ操作によって９０１画面のようにメニュー画面を表示パネル１４１に出力する。これと共に、端末機１００は、当該メニュー画面提供機能がペン機能運用を支援するように設計されるか、ペン機能運用のための入力信号が受信された場合、ペン認識パネル１４３を活性化するように制御する。ユーザは、タッチ用ペン２００を利用してメニュー画面が表示された表示パネル１４１上に特定ジェスチャー入力動作を実行する。この過程で、ユーザは、タッチ用ペン２００に設けられたボタン２４０を押しながら、または押した後に、表示パネル１４１に接触した状態で特定ジェスチャー入力動作を実行する。
【００６３】
端末機１００は、ユーザのジェスチャー入力動作を認識し、それに対応する情報を表示パネル１４１に出力するように支援する。これと共に、端末機１００は、ボタン２４０の押圧及び表示パネル１４１の接触状態に対応するペン状態情報を収集する。そして、端末機１００は、認識されたジェスチャー入力動作に該当するジェスチャー認識情報とペン状態情報に該当するペン機能命令語をペン機能テーブル１５３で確認する。その後、端末機１００は、ペン機能命令語に該当する機能実行を実行する。
【００６４】
この過程で、端末機１００が収集したジェスチャー認識情報は、複合ジェスチャー認識情報になる。複合ジェスチャー認識情報は、前述したように、複数個のオブジェクトに区分認識される情報である。すなわち９０１画面で記入された“＠ｊａｍｅｓ”は、それぞれ“＠”の第１オブジェクト９１０と“ｊａｍｅｓ”の第２オブジェクト９２０に区分して認識される。このために、ペン機能テーブル１５３には、前述した第１オブジェクト９１０及び第２オブジェクト９２０に関する情報を含むか、複数個のオブジェクトに区分される記入方式に対するルーチンが含まれる。記入方式の一例として、特定キー命令語に該当する第１オブジェクト９１０は、機能を呼び出すためのペン機能命令語、例えばシンボル（Ｓｙｍｂｏｌ）や特殊文字になり、第１オブジェクト９１０の以後に認識される第２オブジェクト９２０は、当該機能に適用される機能支援情報に該当する。
【００６５】
例えば、９０１画面に記入された“＠”第１オブジェクト９１０は、電子メール機能を呼び出すペン機能命令語になり、“ｊａｍｅｓ”第２オブジェクト９２０は、作成する電子メール受信の情報または受信者情報を検索する検索語になる。結果的に、９０１画面のように、複数個のオブジェクトを含む複合ジェスチャー認識情報が入力されれば、端末機１００は、第２オブジェクト９２０である“ｊａｍｅｓ”として記入された全体電子メールアドレス情報を電話帳情報などで検索して収集し、第１オブジェクト９１０である“＠”によって活性化された電子メール機能の受信者アドレス情報に記入するように支援する。
【００６６】
前述したように、端末機１００は、タッチ用ペン２００のペン状態情報及びジェスチャー認識情報を基にマッピングされたペン機能命令語により特定機能をさらに便利に且つ容易に実行するように支援する。特に前記端末機１００は、現在活性化された機能に関係なく、入力されたジェスチャー認識情報とペン状態情報を基に特定機能をすぐ活性化し、利用できるように支援する。
【００６７】
一方、図１０を参照すれば、本発明の端末機１００は、ペン機能運用支援中に、複合ジェスチャー認識情報基盤のペン機能運用を支援する。これをさらに詳しく説明すれば、端末機１００は、ユーザ制御によって、または既定のスケジュール情報によって図示するように、特定テキスト情報１０１０を表示パネル１４１上に出力する。ここで、前記テキスト情報１０１０は、メッセージ画面に提供される情報であるか、またはチャット画面に提供される情報であるか、またはウェブページ画面に提供される情報であるか、または特定文書閲覧画面に提供される情報など多様な機能に基づいて提供される情報である。
【００６８】
ここで、前記テキスト情報出力機能は、ペン機能運用を支援すると仮定する。端末機１００は、ペン認識パネル１４３を活性化し、タッチ用ペン２００が表示パネル１４１上に接触すれば、それによるタッチ用ペン２００認識を実行する。この過程で図示するように、ユーザが複合ジェスチャー入力動作を実行すれば、端末機１００は、テキスト情報１０１０上に複数個のオブジェクトに区分される複合ジェスチャー認識情報を収集する。すなわち端末機１００は、テキスト情報１０１０のうち一部を指定する第２オブジェクト９２０と別途のキー命令語に該当する第１オブジェクト９１０をそれぞれ区分して認識する。
【００６９】
このために、端末機１００は、前述した複合ジェスチャー入力動作認識のために多様な情報をあらかじめ定義したペン機能テーブル１５３を参照する。また、ペン機能テーブル１５３は、複数のオブジェクト記入方式に対するルーチンを含む。これにより、端末機１００は、ペン機能テーブル１５３を参照して第２オブジェクト９２０に入力された四角形ボックスの一部テキスト情報を抽出し、第１オブジェクト９１０に入力された“？”に該当するペン機能命令語を抽出した後、抽出した一部テキスト情報に基づいてペン機能命令語に該当する検索機能を実行する。ここで、端末機１００は、“？”に該当するオブジェクトが先に認識され、以後、テキスト情報１０１０のうち少なくとも一部テキスト情報を選択するためのオブジェクトが認識されても、同一の機能実行を支援する。
【００７０】
前述したように、本発明のペン機能運用を支援する端末機１００は、ペン状態情報及び機能種類情報に関係なく、認識されたジェスチャー認識情報のみを基に特定ペン機能運用を支援する。
【００７１】
さらに、前記端末機１００は、複合ジェスチャー認識情報基盤のペン機能運用に対してペン状態情報に基づいて適用される適用範囲を異なって調整することもできる。例を取って説明すれば、端末機１００は、前述した検索機能の複合ジェスチャー認識情報が収集されれば、ペン状態情報を確認し、当該検索機能の検索範囲を決定する。すなわちタッチ用ペン２００に設けられたボタン２４０が押された状態で複合ジェスチャー認識情報が収集されれば、端末機１００は、複合ジェスチャー認識情報に該当する検索機能をウェブサーバー基盤で検索するように制御する。
【００７２】
また、タッチ用ペン２００に設けられたボタン２４０が解除された状態で複合ジェスチャー認識情報が収集されれば、端末機１００は、複合ジェスチャー認識情報に該当する検索機能を端末機１００の格納部１５０に格納された情報に限定するか、現在活性化されたユーザ機能と関連した情報に限定する。このような範囲限定を通じて端末機１００は、さらに多様な情報検索結果を提供するか、またはさらに迅速な情報検索結果を出力する。
【００７３】
前記端末機１００が支援可能なジェスチャー認識情報は、図１１に示したように、多様な形態を含む。このようなジェスチャー認識情報は、特定機能を運用するように定義される独立的な単一ジェスチャー認識情報に該当するペン機能命令語と、複合ジェスチャー認識情報に該当するペン機能命令語及びペン機能命令語により活性化される機能に適用される機能支援情報を含む。これをさらに詳しく説明すれば、端末機１００は、ペン機能運用のための入力信号が発生すれば、ペン機能運用を支援するための機能が実行され、ペン機能による仮想ペンパッド１４７を表示パネル１４１に出力する。仮想ペンパッド１４７は、透明または半透明形態で表示パネル１４１に出力される。
【００７４】
一方、ユーザは、タッチ用ペン２００を利用して仮想ペンパッド１４７上で特定ジェスチャー入力動作を実行する。この際、ユーザが実行したジェスチャー入力動作は、キー命令語に該当する単一ジェスチャー認識情報１１１０と、キー命令語及び機能支援情報を含む複合ジェスチャー認識情報１１２０を含む。キー命令語は、図示のように、特殊文字キーまたは特定キーパッドに提供されるキー値に対応する命令語になる。例えば、キー命令語は、図示のように、アットマーク（＠）、疑問符、等号（ｅｑｕａｌ）、シャープ、右側方向三角形、封筒模様、砂時計模様、豚の尾（ｐｉｇｔａｉｌ）模様、リボン模様、吹き出し模様、クリップ模様、星模様などを含む。
【００７５】
アットマーク（＠）は、電子メール送信と関連したキー命令語であり、疑問符は、検索関連キー命令語である。そして、等号は、数式計算と関連したキー命令語であって、等号以後に入力される数字及び演算符号による結果をすぐ計算して提供する。これにより、ユーザは、別途に電卓を呼び出すことなく、簡単な計算をすぐ実行できる。シャープは、プランナー機能と関連したキー命令語であって、スケジュール表またはプランナー機能活性化を支援し、シャープ以後に入力される数字情報を日付情報として認識し、当該日付のプランナー情報を呼び出すか、当該日付のプランナー情報記入のための画面支援を実行する。右側方向三角形は、ファイル再生と関連したキー命令語であって、右側方向三角形とともに入力される情報を音楽ファイルとして認識し、当該音楽ファイル検索及び実行をペン機能のジェスチャー入力を通じてすぐ実行できるようにする。
【００７６】
封筒模様は、文字メッセージ関連機能であって、当該封筒模様入力時に文字メッセージ機能を活性化し、一緒に入力された情報がある場合、前記封筒模様は、当該情報を送信者とするメッセージ作成画面を出力する。砂時計模様は、アラーム機能関連キー命令語であって、ジェスチャー認識情報として受信されれば、アラーム機能を活性化する。砂時計模様とともに一定数字情報が入力されれば、端末機１００は、当該数字情報に該当する秒時間又は分時間経過後にアラームが実行される。
【００７７】
豚の尾（ｐｉｇｔａｉｌ）模様は、通話機能のダイヤラーを呼び出すジェスチャー認識情報である。豚の尾模様とともに特定数字情報や名前情報が入力されれば、端末機１００は、入力された数字情報または名前情報に該当する他の端末機に通話連結を実行する。リボン模様は、イーブックコンテンツ実行と関連したジェスチャー認識情報である。リボン模様がジェスチャー認識情報として認識されれば、端末機１００は、イーブックコンテンツ関連機能を行う。例えば、端末機１００は、格納部１５０に格納されたイーブックコンテンツのリストを表示パネル１４１に出力する。一方、リボン模様とともに特定文字や数字情報が記入されれば、端末機１００は、記入された機能支援情報に該当するイーブックを検索し、当該イーブックコンテンツを再生する画面を表示パネル１４１に出力する。
【００７８】
吹き出し模様は、チャット機能と関連した機能を実行できるように設けられたジェスチャー認識情報である。吹き出し模様が入力されれば、端末機１００は、チャット機能を活性化する。特に吹き出し模様入力とともに特定ユーザ名前情報を入力するか、または特定ユーザ端末機と関連した番号を入力する場合、端末機１００は、当該ユーザ名前情報または関連番号に該当するユーザとのチャット機能をすぐ実行する。クリップ模様は、クリップボードを行うためのジェスチャー認識情報になる。タッチ用ペン２００によって入力されるジェスチャー入力動作がクリップ模様に該当するジェスチャー認識情報として認識されれば、端末機１００は、現在表示パネル１４１上に出力されているコンテンツをクリップボードに自動挿入するか、クリップボードを呼び出す。星模様は、‘お気に入り’リストを表示するためのジェスチャー認識情報になる。端末機１００は、タッチ用ペン２００によって入力されたジェスチャーが星模様に該当するジェスチャー認識情報として認識されれば、あらかじめ定義された‘お気に入り’リストを表示パネル１４１に出力する。
【００７９】
前述したように、端末機１００は、多様なキー命令語に該当するジェスチャー認識情報が入力されれば、当該ジェスチャー認識情報に対応する機能活性化をする。さらに、端末機１００は、機能支援情報がキー命令語とともに入力されれば、機能活性化とともに機能支援情報を基盤とする機能運用を支援する。
【００８０】
図１２ないし図１４は、本発明のさらに他の実施例によるペン機能運用を説明するための図である。
【００８１】
まず、図１２を参照すれば、端末機１００は、ユーザ制御によって、または特定機能実行によって１２０１画面のように表示パネル１４１に特定イメージまたは写真を出力する。これと共に、端末機１００は、ペン機能運用をするためにペン認識パネル１４３を活性化する。前述した環境においてユーザは、タッチ用ペン２００を利用して表示パネル１４１に接触した状態またはホバリング状態のうちいずれか１つの状態で図示したように、特定ジェスチャー入力動作を実行する。この際、ユーザは、タッチ用ペン２００のボタン２４０を押圧状態に維持するか、または１回以上押圧する。
【００８２】
端末機１００は、タッチ用ペン２００のボタン２４０が押圧された状態に関する情報と接触状態またはホバリング状態のうちいずれか１つを含むペン状態情報と、ジェスチャー入力動作に該当するジェスチャー認識情報及び現在活性化されたイメージまたは写真出力機能の第１機能種類情報を収集する。前述した情報が収集された端末機１００は、当該情報にマッピングされる第１ペン機能命令語をペン機能テーブル１５３で検索する。
【００８３】
ジェスチャー認識情報収集過程で、端末機１００は、ジェスチャー入力動作に対応する類似のジェスチャー認識情報を収集する過程を実行する。すなわち図示の図面では、円と類似の形態の閉曲線を描くジェスチャー入力動作を示したが、端末機１００は、このような円と類似の形態の閉曲線に該当するジェスチャー入力動作が発生すれば、ジェスチャー認識情報を“円（Ｃｉｒｃｌｅ）”として決定する。すなわち端末機１００は、ジェスチャー入力動作により入力される情報を近似化する。このために、端末機１００は、あらかじめ定義された特定文字や模様とジェスチャー入力動作により入力された情報を比較し、ジェスチャー入力動作に該当する情報を一定誤差率以内の文字や模様に該当するジェスチャー認識情報として決定する。
【００８４】
そして、端末機１００は、第１ペン機能命令語に該当する機能実行によって１２０３画面のように第１オプションメニュー窓１２１０を出力する。この際、出力される第１オプションメニュー窓１２１０は、現在活性化されている機能に特化したメニュー窓になる。
【００８５】
一方、端末機１００は、ユーザ制御によって、または特定機能実行によって図１３の１３０１画面のように表示パネル１４１にウェブ接続画面を出力できる。これと共に、端末機１００は、ペン機能運用をするためにペン認識パネル１４３を活性化する。前述した環境においてユーザは、タッチ用ペン２００を利用して表示パネル１４１に接触した状態またはホバリング状態のうちいずれか１つの状態で図示したように特定ジェスチャー入力動作を実行する。この際、ユーザは、タッチ用ペン２００のボタン２４０を押圧状態に維持するか、または１回以上押圧する。前記特定ジェスチャー入力動作は、図１２に示したジェスチャー入力動作と同一の動作になる。
【００８６】
端末機１００は、図１２で説明した同一のペン状態情報とジェスチャー認識情報を収集するが、現在活性化されている第２機能種類情報に該当する第２ペン機能命令語検索をペン機能テーブル１５３を利用して実行する。第２ペン機能命令語が検索されれば、端末機１００は、第２ペン機能命令語に該当する機能を実行する。これにより、端末機１００は、１３０３画面のように、第２オプションメニュー窓１３１０を表示パネル１４１に出力する。第２オプションメニュー窓１３１０は、ウェブ接続機能に特化したメニュー窓になる。
【００８７】
図１４は、メモ機能と関連したペン機能運用を説明するための図である。
端末機１００は、ユーザ制御によってメモ機能を呼び出すことができ、この際、１４０１画面のように、あらかじめ格納された特定メモ情報を表示パネル１４１に出力する。この過程で端末機１００は、当該メモ機能がペン機能を支援するように設計された場合またはペン機能運用のための入力信号が発生した場合、ペン機能運用のためにペン認識パネル１４３を活性化する。このような環境において端末機１００は、図１２及び図１３で説明したようなペン状態情報及びペンジェスチャー情報をタッチ用ペン２００の運用によって収集する。
【００８８】
端末機１００は、ペン状態情報、ペンジェスチャー情報及び機能種類情報に該当する第３ペン機能命令語をペン機能テーブル１５３を利用して確認する。第３ペン機能命令語が確認されれば、端末機１００は、第３ペン機能命令語による特定機能運用、例えば１４０３画面のように第３オプションメニュー窓１４１０を出力する。ここで、第３オプションメニュー窓１４１０は、第３ペン機能命令語にマッピングされた機能としてメモ機能に特化したメニュー窓に該当する。
【００８９】
以上説明したように、本発明の実施例による端末機１００は、ペン状態情報及びペンジェスチャー情報が同一であるとしても、現在活性化されている機能種類情報が異なっている場合、互いに異なるペン機能命令語による機能を実行する。
【００９０】
図１５は、本発明のさらに他の実施例によるペン機能運用のうちチャットサービス関連説明のための図である。
図１５を参照すれば、端末機１００は、電源が供給された状態で別途の入力信号がないか、別に実行される機能がない場合、１５０１画面のように、表示パネル１４１に電源が遮断された状態を有する。このような１５０１画面状態は、表示パネル１４１の電源供給が中止されたが、通信部１１０を活性化した状態になる。これにより、１５０１画面状態は、通信部１１０を通じて特定情報受信が発生する場合、当該情報出力ができる状態である。ここで、１５０１画面状態は、スリープ状態である。
【００９１】
一方、１５０１画面状態で通信部１１０が特定メッセージを受信する場合、端末機１００は、１５０３画面のように、受信されたメッセージを表示パネル１４１の一定領域に出力する。これにより、受信されたメッセージは、表示パネル１４１のメッセージ通知領域１５１０に出力される。この際、出力されるメッセージ通知領域１５１０には、受信されたメッセージの一部内容が含まれる。例えば、メッセージ通知領域１５１０には、メッセージを送信した送信者情報と、送信者が記入した情報のうち少なくとも一部が含まれる。
【００９２】
一方、メッセージ受信通知機能がペン機能運用を支援するように設計された場合、ユーザは、１５０５画面のように、ペンを利用したテキスト入力を実行できる。この際、端末機１００は、メッセージ通知領域１５１０が表示パネル１４１に出力維持された状態でタッチ用ペン２００から入力されるジェスチャー入力動作に該当する情報を認識する。ここで、もし、出力後、一定時間が経過すれば消えるように設計されたメッセージ通知領域１５１０が表示パネル１４１で消えた場合には、タッチ用ペン２００による入力機能を支援しないように設計する。
【００９３】
これにより、本発明の端末機１００は、ペン機能運用支援などの特定目的にメッセージ通知領域１５１０の出力待機時間を調整する。このために、端末機１００は、メッセージ通知領域１５１０の出力待機時間を調整できるメニュー画面を提供する。ユーザは、出力待機時間調整メニュー画面を利用してメッセージ通知領域１５１０の出力待機時間を自分の嗜好に合うように、または自分の返事記入能力に対応するように任意調整できる。別途任意調整がない場合、端末機１００は、事前に設定された方式によってメッセージ通知領域１５１０の出力待機時間を定義する。
【００９４】
１５０５画面では、ユーザがメッセージ受信に対応して返事記入をメッセージ通知領域１５１０以外の領域に記入することを例にして説明した。しかし、本発明がこれに限定されるものではなく、本発明の端末機１００は、メッセージ通知領域１５１０が出力されるうちに、またはメッセージ通知領域１５１０が出力された時点から一定時間以内に表示パネル１４１の特定領域に記入された情報を返事として認識する。例えば、ユーザは、メッセージ通知領域１５１０内に返事記入のためのジェスチャー入力動作を実行できる。
【００９５】
端末機１００は、返事記入のためのジェスチャー入力動作に該当するジェスチャー認識情報が収集されれば、収集されたジェスチャー認識情報を受信されたメッセージに対応する情報として処理する。これをさらに詳しく説明すれば、端末機１００は、ユーザの返事入力が完了すれば、バックグラウンドプロセッシングを通じて受信メッセージに対応する機能を活性化する。すなわち端末機１００は、受信メッセージが文字メッセージである場合、文字メッセージ機能を活性化し、受信メッセージの送信者情報を自動抽出するとともに、記入されたジェスチャー認識情報を含む文字メッセージを作成し、自動送信するように制御する。
【００９６】
また、端末機１００は、受信メッセージがチャットメッセージである場合、チャットメッセージ機能をバックグラウンドプロセッシングで活性化するように制御する。そして、端末機１００は、メッセージ通知領域１５１０が出力されているうちに入力されたジェスチャー認識情報を受信されたチャットメッセージに対する応答メッセージとして自動伝送するように制御する。この過程で、端末機１００は、受信されたチャットメッセージを含むチャットルームを開設するか、または受信されたチャットメッセージの送信者と関連して事前に開設したチャットルームに当該受信メッセージと応答メッセージを記入するように制御する。
【００９７】
前記端末機１００は、電子メールの場合にも、文字メッセージサービスと同様に適用し、返事電子メールを送信する。すなわち受信された電子メールメッセージに対する速やかな返事伝送が要求される場合、端末機１００は、メッセージ通知領域１５１０に表示された電子メールの送信者電子メール情報を抽出し、ユーザが入力したジェスチャー認識情報を電子メールの内容情報として含んで当該送信者に伝送するように制御する。
【００９８】
一方、前記返事入力が完了する時点は、タッチ用ペン２００が表示パネル１４１から一定距離をもって離隔され、認識が不可能な場合であるか、またはあらかじめ定義された特定ジェスチャー、例えば、ピリオドに該当する情報が記入される時点になる。または、端末機１００は、返事入力が始まれば、返事完了のためのボタンマップを表示パネル１４１に出力し、ユーザは、当該ボタンマップ選択を通じて返事入力完了を実行できる。
【００９９】
１５０５画面で、返事伝送が完了すれば、または返事入力が完了すれば、端末機１００は、１５０１画面に自動復帰するか、または送受信されたメッセージ履歴を確認できるようにスリープ状態を解除し、１５０７画面のように、メッセージ送受信履歴画面を出力する。１５０７画面は、送受信されるメッセージの特性によって変わる。すなわち１５０７画面は、文字メッセージ送受信画面になることもでき、また、チャットルーム画面になることもできる。
【０１００】
一方、前述した説明においてメッセージ通知領域１５１０が出力される状態をスリープ状態として仮定して説明したが、本発明がこれに限定されるものではない。すなわち本発明のメッセージ通知領域１５１０は、表示パネル１４１に電源が供給されないスリープ状態以外に特定機能が活性化された状態の画面で表示パネル１４１の一定領域に出力される。結果的に、本発明のメッセージ通知に対応した返事機能は、スリープ状態でのメッセージ受信だけでなく、特定機能が活性化された状態でのメッセージ受信にも同様に適用できる。
【０１０１】
前述した本発明の端末機１００のペン機能運用支援は、一時的に活性化される特定ユーザ機能の種類に対して入力されるジェスチャー認識情報を処理できるように支援する。これにより、本発明の端末機１００は、通信部１１０などから受信される通知（Ｎｏｔｉｆｉｃａｔｉｏｎ）受信時にタッチ用ペン２００を利用した速やかな入力機能を支援する。
【０１０２】
以上説明したように、本発明の実施例によるペン機能運用システム及びペン機能運用方法は、タッチ用ペン２００を利用する環境においてユーザがさらに多様ながらも便利な機能運用を実行できるようにタッチ用ペン２００とマッピングされたペン機能テーブル１５３を支援する。これにより、ユーザは、現在活性化されている機能の種類情報、ペン状態情報及びジェスチャー認識情報のうち少なくとも１つを互いに連関させて、またはそれぞれ独立的に運用し、さらに多様な機能運用を実行できる。
【０１０３】
一方、前述した端末機１００は、その提供形態によって多様な追加モジュールをさらに含むことができる。すなわち前記端末機１００は、通信端末機である場合、近距離通信のための近距離通信モジュール、前記端末機１００の有線通信方式または無線通信方式によるデータ送受信のためのインターフェース、インターネットネットワークと通信してインターネット機能を実行するインターネット通信モジュール及びデジタル放送受信と再生機能を行うデジタル放送モジュールなどのように、前記で言及されない構成をさらに含むこともできる。このような構成要素は、デジタル機器のコンバージェンス（ｃｏｎｖｅｒｇｅｎｃｅ）  傾向によって変形が非常に多様なので、すべて列挙することはできないが、前記言及された構成要素と同等な水準の構成要素が前記デバイスに追加してさらに含まれて構成される。また、本発明の端末機１００は、その提供形態によって前述した構成から特定構成が除外されるか、他の構成に代替されてもよいことは勿論である。これは、本技術分野における通常の知識を有する者には、容易に理解される。
【０１０４】
また、本発明の実施例による前記端末機１００は、例えば、前記端末機１００は、多様な通信システムに対応する通信プロトコル（ｃｏｍｍｕｎｉｃａｔｉｏｎ  ｐｒｏｔｏｃｏｌｓ）に基づいて動作するすべての移動通信端末機（ｍｏｂｉｌｅ  ｃｏｍｍｕｎｉｃａｔｉｏｎ  ｔｅｒｍｉｎａｌｓ）を含めて、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、音楽再生機（例えば、ＭＰ３プレーヤー）、携帯ゲーム端末、スマートフォン（Ｓｍａｒｔ  Ｐｈｏｎｅ）、ノートパソコン（Ｎｏｔｅｂｏｏｋ）及びハンドヘルドパソコンなどすべての情報通信機器とマルチメディア及びそれに対する応用機器を含む。
【０１０５】
一方、本明細書と図面を通じて本発明の好ましい実施例について説明し、特定用語が使用されたが、これは、ただ本発明の技術内容を容易に説明し、発明の理解を助けるための一般的な意味として使用されたものに過ぎず、本発明の範囲を限定しようとするものではない。ここに開示された実施例以外にも本発明の技術的思想に基づく他の変形例が実施可能であるということは、本発明の属する技術分野における通常の知識を有する者に自明である。
【符号の説明】
【０１０６】
１００  端末機
１１０  通信部
１２０  入力部
１３０  オーディオ処理部
１４１  表示パネル
１４３  ペン認識パネル
１４５  タッチパネル
１５０  格納部
１５１  ペン機能運用プログラム
１５３  ペン機能テーブル
１６０  制御部
１６１  機能種類確認部
１６３  ペン状態確認部
１６５  ジェスチャー認識部
１６７  命令語生成部
１６９  機能実行部
２００  タッチ用ペン
２１０  ペン先
２２０  ペンホルダー
２３０  コイル
２４０  ボタン
【図１】
2014044720.tif 000003
【図２】
2014044720.tif 000004
【図３】
2014044720.tif 000005
【図４】
2014044720.tif 000006
【図５】
2014044720.tif 000007
【図６】
2014044720.tif 000008
【図７】
2014044720.tif 000009
【図８】
2014044720.tif 000010
【図９】
2014044720.tif 000011
【図１０】
2014044720.tif 000012
【図１１】
2014044720.tif 000013
【図１２】
2014044720.tif 000014
【図１３】
2014044720.tif 000015
【図１４】
2014044720.tif 000016
【図１５】
2014044720.tif 000017